(57)【特許請求の範囲】
【請求項１】
カートンと、該カートンの内側に挿入された内袋からなる包装容器であって、前記カートンは、底面と、対向する正面板と後面板、および、対向する左側面板と右側面板を有し、前記左側面板と前記右側面板は上端が２つに縦折りされ、折り部が内方に折り込まれ前記正面板と前記後面板とが近接し、近接している間から前記内袋の上端部分が突き出しており、対向する前記正面板と前記後面板のいずれかに延長部が設けられ、前記延長部が対向する面板の裏面に沿って係止され、前記延長部に前記内袋の上端部分が突き出るための突き出し口が設けられていることを特徴とする包装容器。
【請求項２】
前記延長部に左右からそれぞれ前記突き出し口に向かう易切断線が設けられていることを特徴とする請求項１に記載の包装容器。
【請求項３】
前記左側面板と前記右側面板には、上端を２つに縦折りしやすくするための折罫が設けられていることを特徴とする請求項１または２に記載の包装容器。
【請求項４】
前記内袋が、サイドガゼット袋であることを特徴とする請求項１から３のいずれか１項に記載の包装容器。
【請求項５】
前記内袋の表フィルムと裏フィルムの外面が、それぞれ、前記正面板と前記後面板の内面に貼着されていることを特徴とする請求項１から４のいずれか１項に記載の包装容器。
【発明の詳細な説明】
【技術分野】
【０００１】
本発明は、包装容器に関するものである。特に、開口部を広く開口した状態で保持することができる包装容器に関するものである。
【背景技術】
【０００２】
軟包装袋は、横に倒した状態で保管、輸送などを行うことができ、かつ、コストが安いというメリットがある。この包装袋に自立性を持たせたものとして、角底袋やスタンディングパウチなど種々のものが製品化されている。一方、軟包装袋とカートンからなる容器としては、バッグインカートンやバッグインボックスがある。
【０００３】
しかし、自立性を持たせた角底袋やスタンディングパウチでも開封した際に、開口部を広く開口した状態で保持することが難しい。また、バッグインカートンやバッグインボックスでも開口した状態で保持することが難しく、更にコスト的も利用しにくい。
【０００４】
また、軟包装袋と、板紙からなる逆円錐台形状の筒状部材とを密着させ、かつ、軟包装袋の上端の開放端部を水平に合掌シールした自立性複合容器もある（特許文献１）。
【０００５】
この容器では、開口部を広く開口した状態で保持することができるが、蓋をすることはできない。また、開封前に小さくしておくことも出来ない。
【０００６】
公知文献を以下に示す。
【先行技術文献】
【特許文献】
【０００７】
【特許文献１】特開平１１−２３６０５４号公報
【発明の概要】
【発明が解決しようとする課題】
【０００８】
本発明は上記のような事情に鑑みてなされたもので、開封前は小さくしておいて、開封後は広げて、開口部を開口した状態で保持することができる包装容器を提供することを課題としている。
【課題を解決するための手段】
【０００９】
本発明は係る課題に鑑みなされたものであり、請求項１の発明は、カートンと、該カートンの内側に挿入された内袋からなる包装容器であって、前記カートンは、底面と、対向する正面板と後面板、および、対向する左側面板と右側面板を有し、前記左側面板と前記右側面板は上端が２つに縦折りされ、折り部が内方に折り込まれ前記正面板と前記後面板とが近接し、近接している間から前記内袋の上端部分が突き出しており、対向する前記正面板と前記後面板のいずれかに延長部が設けられ、前記延長部が対向する面板の裏面に沿って係止され、前記延長部に前記内袋の上端部分が突き出るための突き出し口が設けられていることを特徴とする包装容器である。
【００１１】
また請求項２の発明は、前記延長部に左右からそれぞれ前記突き出し口に向かう易切断線が設けられていることを特徴とする請求項１に記載の包装容器としたものである。
【００１２】
また請求項３の発明は、前記内袋が、サイドガゼット袋であることを特徴とする請求項１から２のいずれか１項に記載の包装容器としたものである。
【００１３】
また請求項４の発明では、前記内袋が、サイドガゼット袋であることを特徴とする請求項１から３のいずれか１項に記載の包装容器としたものである。
【００１４】
また請求項５の発明では、前記内袋の表フィルムと裏フィルムの外面が、それぞれ、前記正面板と前記後面板の内面に貼着されていることを特徴とする請求項１から４のいずれか１項に記載の包装容器としたものである。
【発明の効果】
【００１５】
本発明の包装容器は、開封前は小さくしておいて、開封後は広げて、開口部を開口した状態で保持することができる。
【図面の簡単な説明】
【００１６】
【図１】本発明の包装容器の一例を模式的に斜視で示した説明図である。
【図２】本発明の包装容器の一例のカートンのブランクを模式的に示した説明図である。
【図３】本発明の包装容器の一例の内袋を模式的に示した説明図である。
【図４】本発明の包装容器の一例を開封して、口を開いた状態を模式的に斜視で示した説明図である。
【図５】本発明の包装容器の他の例を模式的に斜視で示した説明図である。
【図６】本発明の包装容器の他の例のカートンのブランクを模式的に示した説明図である。
【発明を実施するための形態】
【００１７】
以下、本発明を実施するための形態につき説明する。
図１は、本発明の包装容器の一例を模式的に斜視で示した説明図である。
【００１８】
本例の包装容器１００は、図１の斜視図に示すように、カートン２００と、カートン２００の内側に挿入された内袋３００とからなっている。カートン２００は、底面と、底面の周端から対向する正面板１と後面板２、および、対向する左側面板３と右側面板４を有し、左側面板３と右側面板４は上端が２つに縦折りされ、折り部が内方に折り込まれ正面板１と後面板２とが近接し、近接している間から内袋３００の上端部分が突き出している。
【００１９】
カートン２００の正面板１の上端には延長部５が設けられ、折り返されて後面板２の内側に沿って差し込まれ係止されている。また、延長部５には細長い貫通孔からなる突き出し口６が設けられていて、突き出し口６を通して、内袋３００の上端部分が突き出ている。
【００２０】
図２は、本発明の包装容器の一例のカートンのブランクを模式的に示した説明図である。
カートン２００のブランク２０１は、図２のように、正面板１、右側面板４、後面板２、左側面板３が連設され、正面板１の左側に貼着板７が連設されている。
【００２１】
左側面板３、右側面板４には、上端を２つに縦折りしやすくするための折罫が設けられている。この折罫は、左側面板３、右側面板４のそれぞれの左右中央に上端から下方に向かう垂直折罫３ａ、４ａと、面板の下端左右から斜めに中央に向かい、垂直折罫３ａ、４
ａに至る斜め折罫３ｂ、３ｃ、４ｂ、４ｃからなっている。
【００２２】
正面板１の上端には、延長部５が連設されていて、延長部５には、内袋３００の上端部分が突き出るための細長い貫通孔からなる突き出し口６が設けられている。また、延長部５には、左右からそれぞれ突き出し口６に向かう易切断線８、８が設けられている。易切断線８は、破線状の切れ目で設けてある。これに限らず、ハーフカット線で設けるなど他の方法で設けてもよい。
【００２３】
本例のカートン２００の底部は、ＪＩＳ  Ｚ１５０７「段ボール箱の形式」のコード番号０７１２の形式の底になっている。すなわち、右側面板４と左側面板３の下端にフラップ９ａ、９ｂが設けられ、正面板１、後面板２の下端に底面板９ｃ、９ｄが設けられ、そして、底面板９ｃ、９ｄにそれぞれ折罫９ｅ、９ｆを介して、貼着片９ｇ、９ｈが延設されている。折罫９ｅ、９ｆは、他の折罫が押罫で設けられているのに対して、押罫と破線状の切れ目が組み合わされたリード罫になっていて、特に折れやすくなっている。
【００２４】
このブランク２０１からカートン２００を組み立てるには、正面板１と右側面板４の間の折罫と、後面板２と左側面板３の間の折罫を折って、貼着板７の表面を左側面板３の裏面に接着する。
【００２５】
また、フラップ９ａ、９ｂや底面板９ｃ、９ｄを裏側に折り返し、折罫９ｅ、９ｆで貼着片９ｇ、９ｈを逆に折り返し、フラップ９ａ、９ｂの表面に、重なった貼着片９ｇ、９ｈの裏面を接着する。そして、正面板１、右側面板４、後面板２、左側面板３を角筒状になるように起こすと、底部が平らに形成される。
【００２６】
このカートン２００の中に内袋３００を挿入し、内袋３００の表フィルムと裏フィルムの外面をカートン２００の正面板１と後面板２の内面に接着剤などで接着する。接着は全面でなく、部分的に接着されていればよい。
【００２７】
そして、左側面板３、右側面板４の垂直折罫３ａ、４ａと、斜め折罫３ｂ、３ｃ、４ｂ、４ｃを押し込むようにして、内方に押し込み、また、延長部５を折り、内袋３００の上端部分を延長部５の貫通孔からなる突き出し口６に内側から差し込み、突き出し口６から内袋３００の上端部分を突き出させ、延長部５を後面板２の裏面に沿って差し込み係止する。これにより、図１のような包装容器１００が出来上がる。
【００２８】
図３は、本発明の包装容器の一例の内袋を模式的に示した説明図、図４は、本発明の包装容器の一例を開封して、口を開いた状態を模式的に斜視で示した説明図である。
【００２９】
内袋３００は、図３のように、左側面板３や右側面板４に合わせて、表フィルム１１と裏フィルム１２との間に、ガゼット部１３、１４を設けたサイドガゼット袋であることが望ましい。このように内袋３００をサイドガゼット袋にして、カートン２００に挿入して接着固定することにより、図１のような包装容器１００にすることができる。
【００３０】
そして、包装容器１００の内袋３００の上端部分を、天シール部に平行に切り取り開封し、カートン２００の延長部５の左右からそれぞれ突き出し口６に向かう易切断線８、８を切断すると、正面板１と後面板２を開くことができる。正面板１と後面板２を開くと、図４のように、内袋３００の折られていたガゼット部１３、１４が平らに延びて開口部が開き、大きく開口した状態で保持することができる。
【００３１】
尚、延長部５に易切断線８、８を設けずに、折罫を設けておくこともできる。この場合、開口するとき、延長部５を差し込んで係止した後面板２の裏面から抜いて正面板１と後面板２を開く。この場合でも内袋３００の開口部を大きく開口した状態で保持することができる。また、内袋３００の上端を折り返して、カートンの中に入れ、延長部５を再度後面板２の裏面に沿って差し込み係止させると、再封することができる。
【００３２】
図５は、本発明の包装容器の他の例を模式的に斜視で示した説明図、図６は、本発明の包装容器の他の例のカートンのブランクを模式的に示した説明図である。
【００３３】
図５は、本発明の他の例の包装容器４００である。包装容器１００では、カートン２００の正面板１や後面板２が内側に湾曲あるいは屈曲していて、容量を小さくしていたが、包装容器４００のカートン５００では、正面板１や後面板２が、曲がらずに平らに形成されている。このようにすると、形良く、また、そこに表示された、絵柄や文字が見やすい。
【００３４】
カートン５００では、左側面板３や右側面板４の上端を２つに縦折りしやすくするための折罫をカートン５００のブランク５０１の図６のように、左側面板３や右側面板４の上端の左右中央から、それぞれの下端の左右の隅部に向かう折罫３ｄ、３ｅ、４ｄ、４ｅを設けている。このように折罫を設けているので、正面板１や後面板２が、曲がらずに平らに形成することができる。
【００３５】
以下、使用する材料について説明する。
カートン２００、５００を構成する材質には、板紙、段ボール紙、あるいは、プラスチックシートなどを用いることができる。
【００３６】
また、内袋３００は、基材フィルムとシーラントフィルムが積層された積層フィルムからなっていることが望ましい。また、基材フィルムとシーラントフィルムの間に中間フィルムが設けられていても良い。
【００３７】
基材フィルムには、ポリエチレンテレフタレート、ナイロン、ポリプロピレンなどの樹脂の延伸フィルムが好ましく用いられる。また、これらのフィルムにアルミナ、シリカなどの無機酸化物の蒸着層を設けた蒸着フィルムを用いても良い。
【００３８】
基材フィルムの裏面に絵柄印刷層を設けても良い。絵柄印刷層を設けるための印刷方式は、特に限定されるものではないが、グラビア印刷、あるいはフレキソ印刷、インクジェット印刷などの印刷方式を用いることができる。
【００３９】
シーラントフィルムには、低密度ポリエチレンや直鎖状低密度ポリエチレンなどのポリエチレン系フィルムや、ポリプロピレン系フィルムなどの熱可塑性樹脂フィルムが用いられる。また、シーラントフィルムに共押し出しなどによる多層のフィルムを用いてもよい。
【００４０】
また、中間フィルムを用いる場合、中間フィルムとしては、ナイロンの未延伸のフィルムを用いることができる。また、ポリエチレンテレフタレート、ナイロン、エチレン−ビニルアルコール共重合体などの延伸フィルムや、これらの延伸フィルムにアルミナ、シリカなどの無機酸化物、あるいはアルミニウムなどの金属の蒸着層を設けた蒸着フィルムを用いることもできる。
【００４１】
また、バリア性の高いメタキシレンジアミン／アジピン酸からなるいわゆるＭＸＤナイロンや、エチレン−ビニルアルコール共重合体などフィルムや、あるいは、アルミニウムなどの金属の箔を中間フィルムに用いても良い。更には、中間フィルムをこれらのフィルムや箔を組み合わせて多層フィルムにしても良い。
【００４２】
これら、基材フィルム、シーラントフィルム、中間フィルムの積層には、２液硬化型ウレタン系接着剤などを用いてドライラミネーション法により積層することができる。また、熱可塑性樹脂を溶融して押し出し、サンドイッチラミネーション法によって積層してもよい。
【００４３】
以上のように、本発明の包装容器は、開封前は正面板と後面板の上端を近接させて小さくしておき、開封後は正面板と後面板の間が離れ、それに伴って、挿入されている内袋の開口部も広がり、外側のカートンに支えられ、内袋も開口した状態で保持することができる。
【００４４】
そのため、内袋に収納されている内容物を容易に取り出すことができる。また、場合によっては、その開口した状態で食器として用いて、そのまま食することもできる。例えば、内袋に乾燥食品を充填しておいて、開封後、お湯を注いで調理し、そのまま食器として用いて食べることもできる。
【００４５】
また、開封前には、小さくしておけるので、輸送などにおいても有利である。そして、店舗などにおいては、外装が底部のあるカートンなので自立性があり陳列しやすく、また形状がユニークであるので、アイキャッチ性も期待できる。
【符号の説明】
【００４６】
１００、４００・・・包装容器
２００、５００・・・カートン
２０１、５０１・・・ブランク
１・・・正面板
２・・・後面板
３・・・左側面板
４・・・右側面板
３ａ、４ａ・・・垂直折罫
３ｂ、３ｃ、４ｂ、４ｃ、３ｄ、３ｅ、４ｄ、４ｅ・・・折罫
５・・・延長部
６・・・突き出し口
７・・・貼着板
８、８・・・易切断線
９ａ、９ｂ・・・フラップ
９ｃ、９ｄ・・・底面板
９ｅ、９ｆ・・・折罫
９ｇ、９ｈ・・・貼着片
３００・・・内袋
１１・・・表フィルム
１２・・・裏フィルム
１３、１４・・・ガゼット部
【図１】
0006497074.tif 000002
【図２】
0006497074.tif 000003
【図３】
0006497074.tif 000004
【図４】
0006497074.tif 000005
【図５】
0006497074.tif 000006
【図６】
0006497074.tif 000007